(57)【要約】【課題】消費電力量を抑制でき、しかも、画質劣化を低減できる表示装置及び電子機器を提供すること。【解決手段】画像表示装置１０は、２次元マトリクス状に配置された第４色としての白色成分を表示する第４副画素と、第４副画素の周囲に配置された周辺副画素とを備えた画素３１が配列され、画素３１が当該画素３１に隣接する隣接画素３１との間で少なくとも１つの周辺副画素を共有してなる画像表示部３０と、特定画素３１に供給される入力映像信号及び当該特定画素３１に隣接する隣接画素３１の入力映像信号に基づいて特定画素３１に属する周辺副画素への出力信号を生成し、生成した出力信号を画像表示部３０に出力する信号処理部２０とを備える。【選択図】図１
2016024276.tif 000002
【特許請求の範囲】
【請求項１】
２次元マトリクス状に配置された第４色としての白色成分を表示する第４副画素と、前記第４副画素の周囲に配置された周辺副画素とを備えた画素が配列され、前記画素が当該画素に隣接する隣接画素との間で少なくとも１つの前記周辺副画素を共有してなる画像表示部と、
特定画素に対する第１入力映像信号及び当該特定画素に隣接する隣接画素に対する第２入力映像信号に基づいて前記特定画素に属する前記周辺副画素への出力信号を生成し、生成した前記出力信号を前記画像表示部に出力する信号処理部と、
を具備することを特徴とする、表示装置。
【請求項２】
前記信号処理部は、前記特定画素に対する入力映像信号の第１色情報から前記特定画素に属する前記第４副画素の色情報を差し引いた第２色情報に基づいて前記特定画素に属する前記周辺画素の第３色情報を生成し、前記隣接画素に対する入力映像信号の第１色情報から前記隣接画素に属する前記第４副画素の色情報を差し引いた第２色情報に基づいて生成した前記隣接画素に属する前記周辺画素の第３色情報に基づいて、前記特定画素に属する前記周辺画素の前記第３色情報を補正して前記周辺副画素の出力信号を生成する、請求項１に記載の表示装置。
【請求項３】
前記信号処理部は、前記第２色情報から前記周辺副画素の原色成分に対する補色成分の色情報を差し引いて前記周辺副画素の原色成分の色情報を含む前記第３色情報を生成する、請求項１又は請求項２に記載の表示装置。
【請求項４】
前記信号処理部は、前記第２色情報から前記周辺副画素の原色成分の出力信号を差し引いて前記周辺副画素の原色成分に対する補色成分の色情報を含む前記第３色情報を生成する、請求項１又は請求項２に記載の表示装置。
【請求項５】
前記信号処理部は、前記特定画素の前記第３色情報と前記隣接画素の前記第３色情報との比率を変換して前記特定画素の前記３色情報を補正する、請求項２に記載の表示装置。
【請求項６】
前記周辺副画素は、前記第４副画素の周囲に配置された第１原色を表示する第１副画素、第２原色を表示する第２副画素、第３原色を表示する第３副画素、前記第１原色に対する補色である第１補色を表示する第５副画素、前記第２原色に対する補色である第２補色を表示する第６副画素、及び前記第３原色に対する補色である第３補色を表示する第７副画素を有する、請求項１に記載の表示装置。
【請求項７】
前記周辺副画素は、一対の前記第５副画素及び一対の前記第７副画素を備え、一対の前記第５副画素及び一対の前記第７副画素は、前記第４副画素を中心として４隅に配置された、請求項６に記載の表示装置。
【請求項８】
２次元マトリクス状に配置された第４色としての白成分を表示する第４副画素と、前記第４副画素を中心として３行３列の四方格子状に配置された８つの周辺副画素とを備えた画素が配列され、前記画素が当該画素に隣接する隣接画素との間で少なくとも１つの前記周辺副画素を共有してなる画像表示部を具備する、表示装置。
【請求項９】
前記画素は、当該画素に属する前記第４副画素の右側に配置された３つの前記周辺副画素を右隣に配置された隣接画素との間で共有してなり、
前記第４副画素の左側に配置された３つの前記周辺副画素を左隣に配置された隣接画素との間で共有してなり、
前記第４副画素の上側に配置された３つの前記周辺副画素を上隣に配置された隣接画素との間で共有してなり、
前記第４副画素の下側に配置された３つの前記周辺副画素を下隣に配置された隣接画素との間で共有してなる、請求項８に記載の表示装置。
【請求項１０】
前記周辺副画素は、前記第４副画素の周囲に配置された第１原色を表示する第１副画素、第２原色を表示する第２副画素、第３原色を表示する第３副画素、前記第１原色に対する補色である第１補色を表示する第５副画素、前記第２原色に対する補色である第２補色を表示する第６副画素、及び前記第３原色に対する補色である第３補色を表示する第７副画素を有する、請求項８又は請求項９に記載の表示装置。
【請求項１１】
前記周辺副画素は、一対の前記第５副画素及び一対の前記第７副画素を備え、一対の前記第５副画素及び一対の前記第７副画素は、前記第４副画素を中心として四隅に配置された、請求項１０に記載の表示装置。
【請求項１２】
２次元マトリクス状に配置された第４色としての白成分を表示する第４副画素と、前記第４副画素を中心として当該第４副画素との間の距離が略等しくなる位置に配置された少なくとも３つの周辺副画素とを備えた画素が配列され、前記画素が当該画素に隣接する隣接画素との間で少なくとも１つの前記周辺副画素を共有してなる画像表示部を備えた、表示装置。
【請求項１３】
前記第４副画素及び前記周辺副画素が六方格子状に配置されてなり、前記周辺副画素が７つの周辺副画素を有する、請求項１２に記載の表示装置。
【請求項１４】
前記画素は、当該画素に属する前記第４副画素の右側に配置された少なくとも１つの前記周辺副画素を右隣に配置された隣接画素との間で共有してなり、
前記第４副画素の左側に配置された少なくとも１つの前記周辺副画素を左隣に配置された隣接画素との間で共有してなり、
前記第４副画素の上側に配置された少なくとも１つの前記周辺副画素を上隣に配置された隣接画素との間で共有してなり、
前記第４副画素の下側に配置された少なくとも１つの前記周辺副画素を下隣に配置された隣接画素との間で共有してなる、請求項１３に記載の表示装置。
【請求項１５】
前記周辺副画素は、前記第４副画素の周囲に配置された第１原色を表示する第１副画素、第２原色を表示する第２副画素、第３原色を表示する第３副画素、前記第１原色に対する補色である第１補色を表示する第５副画素、前記第２原色に対する補色である第２補色を表示する第６副画素、及び前記第３原色に対する補色である第３補色を表示する第７副画素を有する、請求項１２に記載の表示装置。
【請求項１６】
前記信号処理部は、前記特定画素に対する入力映像信号の第１色情報から前記特定画素に属する前記第４副画素の色情報を差し引いた第２色情報に基づいて前記特定画素に属する前記周辺画素の第３色情報を生成し、前記隣接画素に対する入力映像信号の第１色情報から前記隣接画素に属する前記第４副画素の色情報を差し引いた第２色情報に基づいて生成した前記隣接画素に属する前記周辺画素の第３色情報に基づいて、前記特定画素に属する前記周辺画素の前記第３色情報を補正して前記周辺副画素の出力信号を生成する、請求項８又は請求項１２に記載の表示装置。
【請求項１７】
前記信号処理部は、前記第２色情報から前記周辺副画素の原色成分に対する補色成分の色情報を差し引いて前記周辺副画素の原色成分の色情報を含む前記第３色情報を生成する、請求項８又は請求項１２に記載の表示装置。
【請求項１８】
前記信号処理部は、前記第２色情報から前記周辺副画素の原色成分の出力信号を差し引いて前記周辺副画素の原色成分に対する補色成分の色情報を含む前記第３色情報を生成する、請求項８又は請求項１２に記載の表示装置。
【請求項１９】
前記信号処理部は、前記特定画素の前記第３色情報と前記隣接画素の前記第３色情報との比率を変換して前記特定画素の前記３色情報を補正する、請求項１６に記載の表示装置。
【請求項２０】
前記画像表示部は、行方向の両端及び列方向の両端に、前記第１副画素、前記第２副画素、前記第３副画素、前記第５副画素、前記第６副画素、及び前記第７副画素からなる群から選択された色画素がそれぞれ配列されてなる、請求項６、請求項１０及び請求項１５のいずれか１項に記載の表示装置。
【発明の詳細な説明】
【技術分野】
【０００１】
本開示は、表示装置に関する。
【背景技術】
【０００２】
従来、有機発光ダイオード（ＯＬＥＤ）のような自発光体を点灯する画像表示パネルを備えた表示装置が提案されている（例えば、特許文献１参照）。この表示装置は、画素Ｒ（赤）、Ｇ（緑）及びＢ（青）の３原色に加え、画素Ｗ（白）の追加原色を追加した自発光体を点灯する画像表示パネルを備える。この表示装置においては、バックライトが不要であり、各画素の自発光体の点灯量に応じて、表示装置の消費電力量が決まる。画像表示パネルに彩度が低い入力画像を表示する場合には、追加原色Ｗを含む４色のカラー出力信号に入力信号を置き換えることが可能であり、表示装置の消費電力量を削減することが可能となる。
【先行技術文献】
【特許文献】
【０００３】
【特許文献１】特表２００７−５１４１８４号公報
【発明の概要】
【発明が解決しようとする課題】
【０００４】
しかしながら、従来の自発光体を備えた画像表示パネルでは、入力画像の彩度が高い場合及び入力画像が補色を含む場合には、追加原色Ｗの画素を用いることができず、表示装置の消費電力量が増大する場合がある。この場合、画素Ｃ（シアン）、Ｍ（マゼンタ）、Ｙ（黄）などの補色画素を追加した画像表示パネルを用いることにより消費電力量を抑制できるが、画像表示パネルの画素数が増大するので、画素の配置の高密度化又は画像表示パネルの解像度を低下させる必要がある。
【０００５】
本開示は、消費電力量を抑制でき、しかも、画質劣化を低減できる表示装置及び電子機器を提供することを目的とする。
【課題を解決するための手段】
【０００６】
本開示の表示装置は、２次元マトリクス状に配置された第４色としての白色成分を表示する第４副画素と、前記第４副画素の周囲に配置された周辺副画素とが配列された画素を備え、前記画素が当該画素に隣接する隣接画素との間で少なくとも１つの前記周辺副画素を共有してなる画像表示部と、特定画素に供給される入力映像信号及び当該特定画素に隣接する隣接画素の入力映像信号に基づいて前記特定画素に属する周辺副画素への出力信号を生成し、生成した出力信号を前記画像表示部に出力する信号処理部と、を具備することを特徴とする、表示装置。
【０００７】
また本開示の表示装置は、２次元マトリクス状に配置された第４色としての白成分を表示する第４副画素と、前記第４副画素を中心として３行３列の四方格子状に配置された８つの周辺副画素とが配列された画素を備え、前記画素が当該画素に隣接する隣接画素との間で少なくとも１つの前記周辺副画素を共有してなる画像表示部を具備する。
【０００８】
また本開示の表示装置は、２次元マトリクス状に配置された第４色としての白成分を表示する第４副画素と、前記第４副画素を中心として当該第４副画素との間の距離が略等しくなる位置に配置された少なくとも３つの周辺副画素とが配列された画素を備え、前記画素が当該画素に隣接する隣接画素との間で少なくとも１つの前記周辺副画素を共有してなる画像表示部を具備する。
【図面の簡単な説明】
【０００９】
【図１】図１は、第１の実施の形態に係る画像表示装置の構成の一例を示すブロック図である。
【図２】図２は、第１の実施の形態に係る画像表示部の画素が含む副画素の点灯駆動回路を示す図である。
【図３】図３は、第１の実施の形態に係る画像表示部の副画素の配置を示す図である。
【図４】図４は、第１の実施の形態に係る画像表示部の画素の配列を示す図である。
【図５】図５は、第１の実施の形態に係る画像表示部の断面構造を示す図である。
【図６】図６は、第１の実施の形態に係る画像表示装置で再現可能なＨＳＶ色空間の概念図である。
【図７】図７は、ＨＳＶ色空間の色相と彩度との関係を示す概念図である。
【図８】図８は、第１の実施の形態に係る画像処理方法のフロー図である。
【図９】図９は、第１の実施の形態に係る色座標演算の説明図である。
【図１０Ａ】図１０Ａは、第１の実施の形態に係る色変換の説明図である。
【図１０Ｂ】図１０Ｂは、第１の実施の形態に係る色変換の説明図である。
【図１０Ｃ】図１０Ｃは、第１の実施の形態に係る色変換の説明図である。
【図１０Ｄ】図１０Ｄは、第１の実施の形態に係る色変換の説明図である。
【図１１Ａ】図１１Ａは、第１の実施の形態に係る画像表示部の一例の説明図である。
【図１１Ｂ】図１１Ｂは、第１の実施の形態に係る画像表示部の一例の説明図である。
【図１１Ｃ】図１１Ｃは、第１の実施の形態に係る画像表示部の一例の説明図である。
【図１２Ａ】図１２Ａは、第１の実施の形態に係る画像表示部の一例の説明図である。
【図１２Ｂ】図１２Ｂは、第１の実施の形態に係る画像表示部の一例の説明図である。
【図１２Ｃ】図１２Ｃは、第１の実施の形態に係る画像表示部の一例の説明図である。
【図１３】図１３は、第１の実施の形態に係る画像表示部における副画素の配置を示す図である。
【図１４Ａ】図１４Ａは、第２の実施の形態に係る画像表示部の副画素の配列を示す図である。
【図１４Ｂ】図１４Ｂは、第２の実施の形態に係る画像表示部の副画素の配列を示す図である。
【図１４Ｃ】図１４Ｃは、第２の実施の形態に係る画像表示部の副画素の配列を示す図である。
【図１５】図１５は、本実施の形態に係る表示装置を備えた電子機器の一例を示す図である。
【図１６】図１６は、本実施の形態に係る表示装置を備えた電子機器の一例を示す図である。
【図１７】図１７は、本実施の形態に係る表示装置を備えた電子機器の一例を示す図である。
【図１８】図１８は、本実施の形態に係る表示装置を備えた電子機器の一例を示す図である。
【図１９】図１９は、本実施の形態に係る表示装置を備えた電子機器の一例を示す図である。
【図２０】図２０は、本実施の形態に係る表示装置を備えた電子機器の一例を示す図である。
【図２１】図２１は、本実施の形態に係る表示装置を備えた電子機器の一例を示す図である。
【図２２】図２２は、本実施の形態に係る表示装置を備えた電子機器の一例を示す図である。
【図２３】図２３は、本実施の形態に係る表示装置を備えた電子機器の一例を示す図である。
【図２４】図２４は、本実施の形態に係る表示装置を備えた電子機器の一例を示す図である。
【発明を実施するための形態】
【００１０】
以下に、本開示の各実施の形態について、添付図面を参照しつつ説明する。なお、本開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図面において、既出の図面に関して前述したものと同様の要素には、同一の符号を付して、詳細な説明を適宜省略することがある。
【００１１】
（第１の実施の形態）
図１は、第１の実施の形態に係る画像表示装置１０の構成の一例を示すブロック図である。図１に示すように、画像表示装置１０は、入力映像信号（以下、「入力信号」ともいう）を処理する信号処理部２０と、画像表示パネルである画像表示部３０と、画像表示部３０の駆動を制御する画像表示パネル駆動回路４０（以下、駆動回路４０ともいう。）とを備える。信号処理部２０は、ハードウェア又はソフトウェアのいずれかによって機能が実現されていればよく、特に限定されるものではない。また、信号処理部２０の各回路がハードウェアによって構成されるものであっても、それぞれの回路が物理的に独立して区別される必要はなく、物理的に単一の回路によって複数の機能が実現されるものとしてもよい。
【００１２】
信号処理部２０は、画像表示部３０を駆動するための画像表示パネル駆動回路４０に接続されている。信号処理部２０は、入力映像信号に基づいて求められる所定の画素に表示するためのＨＳＶ色空間の入力値に基づいた第１色情報としての入力画像信号から、第１の色、第２の色、第３の色、第４の色、第５の色、第６の色、及び第７の色で再現されるＨＳＶ色空間の再現値に変換して出力信号を生成する。また、信号処理部２０は、生成した出力信号を画像表示部３０の画像表示パネル駆動回路４０に出力する。
【００１３】
信号処理部２０は、入力画像信号における第１色情報に基づいて、赤（Ｒ）成分、緑（Ｇ）成分、青（Ｂ）成分の一部を追加色成分（例えば、白（Ｗ）成分）に変換した第２色情報を生成する。また、信号処理部２０は、第２色情報に基づいて、第２色情報に含まれる赤（Ｒ）成分、緑（Ｇ）成分、青（Ｂ）成分の一部を追加色成分（例えば、シアン（Ｃ）成分、マゼンタ（Ｍ）成分、及び黄（Ｙ）成分）変換した第３色情報を生成する。そして、信号処理部２０は、含む出力信号を駆動回路４０へ出力する。第３色情報は、７色カラー入力信号（Ｒ、Ｇ、Ｂ、Ｗ、Ｃ、Ｍ、Ｙ）である。追加色成分は、赤（Ｒ）成分、緑（Ｇ）成分、青（Ｂ）成分の各階調が２５６階調で（Ｒ、Ｇ、Ｂ）＝（２５５、２５５、２５５）で構成される白成分、（Ｒ、Ｇ、Ｂ）＝（０、２５５、２５５）で構成されるシアン成分、（Ｒ、Ｇ、Ｂ）＝（２５５、０、２５５）で構成されるマゼンタ成分、及び（Ｒ、Ｇ、Ｂ）＝（２５５、２５５、０）で構成される黄色成分を例として説明するが、これに限らず、例えば、（Ｒ、Ｇ、Ｂ）＝（２５５、２３０、２０４）で表されるような色成分をもつ第４副画素から第７副画素として追加色成分の変換を行うものであってもよい。
【００１４】
なお、本実施の形態では、上述したように変換処理は入力信号（例えば、ＲＧＢ）をＨＳＶ空間に変換した処理について例示して説明しているが、これに限らず、ＸＹＺ空間、ＹＵＶ空間その他の座標系でもよい。また、ディスプレイの色域であるｓＲＧＢやＡｄｏｂｅ（登録商標）ＲＧＢの色域は、ＸＹＺ表色系のｘｙ色度範囲上において、三角形状の範囲で示されるが、定義色域が定義される所定の色空間は、三角形状の範囲で定められることに限定されるものではなく、多角形状等の任意の形状の範囲で定められるものとしてもよい。
【００１５】
駆動回路４０は、画像表示部３０の制御装置であって、信号出力回路４１、走査回路４２及び電源回路４３を備えている。駆動回路４０は、信号出力回路４１によって、第２色情報を含む出力信号を保持し、順次、画像表示部３０の各画素３１に出力する。信号出力回路４１は、信号線ＤＴＬによって画像表示部３０と電気的に接続されている。画像表示部３０の駆動回路４０は、走査回路４２によって、画像表示部３０における副画素を選択し、副画素の動作（光透過率）を制御するためのスイッチング素子（例えば、薄膜トランジスタ（ＴＦＴ：Thin  Film  Transistor））のオン及びオフを制御する。走査回路４２は、走査線ＳＣＬによって画像表示部３０と電気的に接続されている。電源回路４３は、電源線ＰＣＬによって各画素３１の後述する自発光体へ電力を供給する。
【００１６】
なお、表示装置１０は、特許第３１６７０２６号公報、特許第３８０５１５０号公報、特許４８７０３５８号公報、特開２０１１−９０１１８号公報、特開２００６−３４７５号公報に記載されている各種変形例が適用可能である。
【００１７】
図１に示すように、画像表示部３０は、画素３１が、Ｐ０×Ｑ０個（行方向にＰ０個、列方向にＱ０個）、２次元のマトリクス状（行列状）に配列されている。画素３１は、複数の副画素３２を含んで構成される。
【００１８】
図２は、第１の実施の形態に係る画像表示部の画素３１が含む副画素３２の点灯駆動回路を示す図である。図２に示すように、副画素３２の点灯駆動回路が２次元のマトリクス状（行列状）に配列されている。点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノードに接続されている。有機発光ダイオードＥ１のカソードは、例えば基準電位（例えばアース）に接続されている。なお、図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００１９】
図３は、本実施の形態に係る画像表示部３０の副画素３２の配置を示す図である。図３に示すように、画素３１は、第１原色（例えば、赤色（Ｒ）成分）を表示する第１副画素３２Ｒ、第２原色（例えば、緑色（Ｇ）成分）を表示する第２副画素３２Ｇ、第３原色（例えば、青色（Ｂ）成分）を表示する第３副画素３２Ｂ、第１原色、第２原色及び第３原色とは異なる追加色成分としての第４の色（本実施の形態では白色）を表示する第４副画素３２Ｗ、第１原色の補色である第１補色（例えば、シアン（Ｃ）成分）を表示する第５副画素３２Ｃ、第２原色の補色である第２補色（例えば、マゼンタ（Ｍ）成分）を表示する第６副画素３２Ｍ、第３原色の補色である第３補色（例えば、黄色（Ｙ）成分）を表示する第７副画素３２Ｙを備える。以下においては、第１副画素３２Ｒと、第２副画素３２Ｇと、第３副画素３２Ｂと、第４副画素３２Ｗと、第５副画素３２Ｃと、第６副画素３２Ｍと、第７副画素３２Ｙとをそれぞれ区別する必要がない場合、単に、副画素３２という。
【００２０】
この画素３１においては、９つの副画素３２が行方向（Ｘ軸方向）及び列方向（Ｙ軸方向）にそれぞれ３つずつ３行３列の正方格子状に配置される。画素３１は、中央に配置される第４副画素３２Ｗと、この第４副画素３２Ｗの周囲に配置される周辺画素としての第１副画素３２Ｒ、第２副画素３２Ｇ、第３副画素３２Ｂ、第５副画素３２Ｃ、第６副画素３２Ｍ、及び第７副画素３２Ｙを有する。この画素３１においては、２つの第５副画素３２Ｃ及び２つの第７副画素３２Ｙが四隅に配置される。また、２つの第５副画素３２Ｃは、第４副画素３２Ｗを挟んで対角線上に配置され、２つの第７副画素３２Ｙは、第４副画素３２Ｗを挟んで対角線上に配置される。このように、第１副画素３２Ｒ，第２副画素３２Ｇ、第３副画素３２Ｂ及び第６副画素３２Ｍに対して相対的に輝度が高い第５副画素３２Ｃ及び第７副画素３２Ｙを各画素３１に２つずつ配置することにより、画像表示部３０に表示される画像全体の輝度が向上する。
【００２１】
図４は、本実施の形態に係る画像表示部３０の画素３１の配列を示す図である。図４に示すように、画像表示部３０は、各画素３１に属する第４副画素３２Ｗが所定の解像度に応じて２次元マトリクス状に配置される。そして、第４副画素３２Ｗの周囲に配置された第１副画素３２Ｒ、第２副画素３２Ｇ、第３副画素３２Ｂ、第５副画素３２Ｃ、第６副画素３２Ｍ、及び第７副画素３２Ｙの少なくとも一つの副画素３２（周辺副画素）が、隣接画素３１との間で共有されるように配列される。
【００２２】
図４に示す例では、第１画素３１Ａに属する第４副画素３２Ｗ、第２画素３１Ｂに属する第４副画素３２Ｗ、第３画素３１Ｃに属する第４副画素３２Ｗ、第４画素３１Ｄに属する第４副画素３２Ｗ、第５画素３１Ｅに属する第４副画素３２Ｗ、第６画素３１Ｆに属する第４副画素３２Ｗ、第７画素３１Ｇに属する第４副画素３２Ｗ、及び第８画素３１Ｈに属する第４副画素３２Ｗが画像表示部３０の行方向（Ｘ軸方向）及び列方向（Ｙ軸方向）に沿って２次元マトリクス状に配置される。行方向の両端の行には、第４副画素３２Ｗ以外の第１副画素３２Ｒ、第２副画素３２Ｇ、第３副画素３２Ｂ、第５副画素３２Ｃ、第６副画素３２Ｍ及び第７副画素３２Ｙから選ばれた色画素がそれぞれ配列される。また、列方向の両端の列には、第４副画素３２Ｗ以外の第１副画素３２Ｒ、第２副画素３２Ｇ、第３副画素３２Ｂ、第５副画素３２Ｃ、第６副画素３２Ｍ及び第７副画素３２Ｙから選ばれた色画素がそれぞれ配列される。すなわち、この画像表示部３０では、行方向及び列方向の両端にはそれぞれ周辺副画素３２が配置される。
【００２３】
第１画素３１Ａは、当該第１画素３１Ａの右側に隣接する隣接画素としての第２画素３１Ｂとの間で第１副画素３２Ｒ，第５副画素３２Ｃ及び第７副画素３２Ｙを共有している。第１画素３１Ａに属する第４副画素３２Ｗの次列に配列された第１副画素３２Ｒ，第５副画素３２Ｃ及び第７副画素３２Ｙは、第２画素３２Ｂにも属している。また、第１画素３１Ａは、当該第１画素３１Ａの下側に隣接する第５画素３１Ｅとの間で第２副画素３２Ｇ，第５副画素３２Ｃ及び第７副画素３２Ｙを共有している。第１画素３１Ａに属する第４副画素３２Ｗの次行に配列された第２副画素３２Ｇ，第５副画素３２Ｃ及び第７副画素３２Ｙは、第５画素３２Ｅにも属している。同様に、第２画素３１Ｂは、当該第２画素３１Ｂの右側に隣接する第３画素３１Ｃとの間で第５副画素３２Ｃ，第６副画素３２Ｍ及び第７副画素３２Ｙを共有している。また、第２画素３１Ｂは、当該第２画素３１Ｂの下側に隣接する第６画素３１Ｆとの間で第３副画素３２Ｂ，第５副画素３２Ｃ及び第７副画素３２Ｙを共有している。
【００２４】
同様に、第３画素３１Ｃは、当該第３画素３１Ｃの右側に隣接する第４画素３１Ｄとの間で第１副画素３２Ｒ，第５副画素３２Ｃ及び第７副画素３２Ｙを共有している。また、第３画素３１Ｃは、当該第３画素３１Ｃの下側に隣接する第７画素３１Ｇとの間で第２副画素３２Ｇ，第５副画素３２Ｃ及び第７副画素３２Ｙを共有している。第４画素３１Ｄは、当該第４画素３１Ｄの下側に隣接する第８画素３１Ｈとの間で第３副画素３２Ｂ，第５副画素３２Ｃ及び第７副画素３２Ｙを共有している。第５画素３１Ｅは、当該第５画素３１Ｃの右側に隣接する第６画素３１Ｆとの間で第５副画素３２Ｃ，第６副画素３２Ｍ及び第７副画素３２Ｙを共有している。第６画素３１Ｆは、当該第６画素３１Ｆの右側に隣接する第７画素３１Ｇとの間で第１副画素３２Ｒ，第５副画素３２Ｃ及び第７副画素３２Ｙを共有している。第７画素３１Ｇは、当該第７画素３１Ｇの右側に隣接する第８画素３１Ｈとの間で第５副画素３２Ｃ，第６副画素３２Ｍ及び第７副画素３２Ｙを共有している。なお、上記実施の形態においては、隣接画素３１間で３つの副画素３２を共有する例について説明したが、隣接画素３１間で共有する副画素３２の数は少なくとも一つあればよい。
【００２５】
図５は、本実施の形態に係る画像表示部３０の断面構造を示す図である。なお、図５においては、図４に示した第１画素３１Ａと第２画素３１Ｂの一部の断面構造を示している。図５に示すように、画像表示部３０は、基板５１と、絶縁層５２、５３と、反射層５４と、下部電極５５と、自発光層５６と、上部電極５７と、絶縁層５８と、絶縁層５９と、色変換層としてのカラーフィルタ６１Ｙ、６１Ｂ、６１Ｃ、６１Ｇと、遮光層としてのブラックマトリクス６２と、基板５０とを備えている。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第７副画素３２Ｙと、第３副画素３２Ｂと、第５副画素３２Ｃと、第２副画素３２Ｇとにそれぞれ設けられており、上述した有機発光ダイオードＥ１のアノード（陽極）となる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第７副画素３２Ｙと、第３副画素３２Ｂと、第５副画素３２Ｃと、第２副画素３２Ｇとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層及び電子注入層を含む。
【００２６】
（ホール輸送層）
正孔を発生するホール輸送層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００２７】
（電子注入層、電子輸送層）
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２８】
（発光層）
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２９】
上部電極５７は、インジウム錫酸化物（ＩＴＯ：Indium  Tin  Oxide）等の透光性導電材料（透光性導電酸化物）で形成される透光性電極である。なお本実施の形態では、透光性導電材料の例としてＩＴＯを挙げたが、これに限定されない。透光性導電材料として、インジウム亜鉛酸化物（ＩＺＯ：Indium  Zinc  Oxide）等の別の組成を有する導電材料を用いてもよい。上部電極５７は、有機発光ダイオードＥ１のカソード（陰極）になる。絶縁層５８は、上述した上部電極を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示部３０全体を保護する透光性の基板であり、例えば、ガラス基板を用いることができる。なお、図５においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光槽の積層順を適宜変えることも可能である。
【００３０】
画像表示部３０は、カラー表示パネルであり、自発光層５６の発光成分のうち、第７副画素３２Ｙと画像観察者との間に第３補色光Ｌｙを通過させる第７カラーフィルタ６１Ｙが配置されている。画像表示部３０は、同様に、自発光層５６の発光成分のうち、第３副画素３２Ｂと画像観察者との間に第３原色光Ｌｂを通過させる第３カラーフィルタ６１Ｂが配置されている。画像表示部３０は、同様に、自発光層５６の発光成分のうち、第５副画素３２Ｃと画像観察者との間に第１補色光Ｌｃを通過させる第５カラーフィルタ６１Ｂが配置されている。同様に、自発光層５６の発光成分のうち、第２副画素３２Ｇと画像観察者との間に第２原色光Ｌｗになるように調整された発光成分を通過させる第２カラーフィルタ６１Ｇが配置されている。なお、図５には、示していないが、画像表示部３０は、自発光層５６の発光成分のうち、第１副画素３２Ｒと画像観察者との間に第１原色光Ｌｒを通過させる第１カラーフィルタ６１Ｒが配置されている。画像表示部３０は、同様に、自発光層５６の発光成分のうち、第４副画素３２Ｗと画像観察者との間に第４原色光Ｌｗを通過させる第４カラーフィルタ６１Ｗが配置されている。画像表示部３０は、同様に、自発光層５６の発光成分のうち、第６副画素３２Ｍと画像観察者との間に第２補色光Ｌｍを通過させる第６カラーフィルタ６１Ｍが配置されている。
【００３１】
画像表示部３０は、第１原色光Ｌｒ、第２原色光Ｌｇ及び第３原色光Ｌｂと異なる色成分を有する第４原色光Ｌｗを第４副画素３２Ｗから発光することができる。また、第４副画素３２Ｗと画像観察者との間にカラーフィルタが配置されていないようにしてもよく、画像表示部３０は、自発光層５６の発光成分がカラーフィルタなどの色変換層を介さず、第１原色光Ｌｒ、第２原色光Ｌｇ及び第３原色Ｌｂと異なる色成分を有する第４原色光Ｌｗを第４副画素３２Ｗから発光することもできる。例えば画像表示部３０は、第４副画素３２Ｗには、色調整用の第４カラーフィルタ６１Ｗの代わりに透明な樹脂層が備えられていてもよい。このように画像表示部３０は、透明な樹脂層を設けることで、第４副画素３２Ｗに大きな段差が生じることを抑制することができる。
【００３２】
図６は、本実施の形態の画像表示装置で再現可能なＨＳＶ色空間の概念図である。図７は、ＨＳＶ色空間の色相と彩度との関係を示す概念図である。画像表示装置１０は、画素３１に第４の色（白色）を出力する第４副画素３２Ｗを備えることで、図６に示すように、ＨＳＶ色空間における明度のダイナミックレンジを広げることができる。つまり、図６に示すように、第１副画素３２Ｒ、第２副画素３２Ｇ及び第３副画素３２Ｂが表示することのできる円柱形状のＨＳＶ色空間に、彩度Ｓが高くなるほど明度Ｖの最大値が低くなる略台形形状となる立体が載っている形状となる。
【００３３】
入力画像信号は、赤（Ｒ）成分、緑（Ｇ）成分、青（Ｂ）成分の各階調の入力信号を第１色情報として有するので、ＨＳＶ色空間の円柱形状、つまり、図６に示すＨＳＶ色空間の円柱形状部分の情報になる。そして、色相Ｈは、図７に示すように、０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンダ（Ｍａｇｅｎｔａ）、赤となる。本実施の形態では、角度０°を含む領域が赤となり、角度１２０°を含む領域が緑となり、角度２４０°を含む領域が青となる。
【００３４】
また、本実施の形態においては、赤（Ｒ）成分、緑（Ｇ）成分及び青（Ｂ）成分の一部を白（Ｗ）成分に置き換えて出力する。この白成分は、白成分を赤成分、緑成分及び青成分で表現するよりも輝度又は色成分を表示する電力効率が高い。すなわち、白成分の出力と、赤成分、緑成分及び青成分の出力とが同じ電力消費量である場合、白成分で出力するほうが、赤成分、緑成分及び青成分で出力するよりも輝度が高い。また、白成分の出力と、赤成分、緑成分及び青成分の出力とが同じ輝度となる場合、白成分で出力するほうが、赤成分、緑成分及び青成分で出力するよりも電力消費量が小さい。上述のように、彩度が小さくなるに従って白色に近づくので、彩度が小さくなる領域では、白成分へ置き換えできる割合が高くなり、消費電力の低減を図ることができる。そのため、本実施の形態においては、彩度が小さくなるに従って輝度減衰率が小さくなった場合でも、白成分へ置き換えできる割合が高くなるので、好適に消費電力の低減を図ることができる。
【００３５】
また、本実施の形態においては、赤（Ｒ）成分、緑（Ｇ）成分及び青（Ｂ）成分の一部をシアン（Ｃ）成分及び黄（Ｙ）成分に置き換えて出力している。このシアン成分及び黄成分は、シアン成分及び黄成分を赤成分、緑成分及び青成分で表現するよりも輝度又は色成分を表示する電力効率が高い。すなわち、シアン成分及び黄成分の出力と、赤成分、緑成分及び青成分の出力とが同じ電力消費量である場合、シアン成分及び黄成分で出力するほうが、赤成分、緑成分及び青成分で出力するよりも輝度が高い。また、シアン成分及び黄成分の出力と、赤成分、緑成分及び青成分の出力とが同じ輝度となる場合、シアン成分及び黄成分で出力するほうが、赤成分、緑成分及び青成分で出力するよりも電力消費量が小さい。上述のように、彩度が小さくなるに従って白色に近づくので、彩度が小さくなる領域では、シアン成分及び黄成分へ置き換えできる割合が高くなり、消費電力の低減を図ることができる。そのため、本実施の形態においては、彩度が小さくなるに従って輝度減衰率が小さくなった場合でも、シアン成分及び黄成分へ置き換えできる割合が高くなるので、好適に消費電力の低減を図ることができる。次に、本実施の形態に係る画像処理方法を説明する。
【００３６】
図８は、本実施の形態に係る画像処理方法のフロー図である。図８に示すように、信号処理部２０は、入力画像信号の第１色情報に基づいて色座標を演算し（ステップＳＴ１）、演算した色座標に基づいて点灯させる副画素３２を決定する（ステップＳＴ２）。次に、信号処理部２０は、入力画像信号の第１色情報に含まれる色成分（赤（Ｒ）、緑（Ｇ）、青（Ｂ））から白（Ｗ）成分を分離して第２色情報を生成し、第４副画素３２Ｗの点灯量を決定する（ステップＳＴ３）。次に、信号処理部２０は、第２色情報に含まれる色成分（赤（Ｒ）、緑（Ｇ）、青（Ｂ））から第１補色（Ｃ）成分、第２補色（Ｍ）成分及び第３補色（Ｙ）成分を分離して第３色情報を生成し、各画素３１の第４副画素３２Ｗの周囲に配置された副画素３２の点灯量を決定する（ステップＳＴ４）。次に、信号処理部２０は、第３色情報に基づいて出力信号を生成し、生成した出力信号を画像表示部３０に出力する。以下、各ステップＳＴ１〜ＳＴ４について詳細に説明する。
【００３７】
図９は、本実施の形態に係る色座標演算の説明図である。図９に示すように、本実施の形態においては、信号処理部２０は、入力画像信号に含まれる第１色情報について、赤（Ｒ）、緑（Ｇ）及び青（Ｂ）を頂点とする三角形の領域の色座標を用いて演算する。この色座標では、中心に白（Ｗ）が存在し、赤（Ｒ）と緑（Ｇ）との間に黄（Ｙ）が存在し、緑（Ｒ）と青（Ｂ）との間にシアン（Ｃ）が存在し、青（Ｂ）と赤（Ｒ）との間にマゼンタ（Ｍ）が存在する。信号処理部２０は、この色座標を白（Ｗ）と赤（Ｒ）と黄（Ｙ）との間の領域である第１象限Ａ１と、白（Ｗ）と黄（Ｙ）と緑（Ｇ）との間の領域である第２象限Ａ２と、白（Ｗ）と緑（Ｇ）とシアン（Ｃ）との間の領域である第３象限Ａ３と、白（Ｗ）とシアン（Ｃ）と青（Ｂ）との間の領域である第４象限Ａ４と、白（Ｗ）と青（Ｂ）とマゼンタ（Ｍ）との間の領域である第５象限Ａ５と、白（Ｗ）とマゼンタ（Ｍ）と赤（Ｒ）との間の領域である第６象限Ａ６とに分割する。そして、信号処理部２０は、入力画像信号に含まれる第１色情報の色域の属する色座標が第１象限Ａ１、第２象限Ａ２、第３象限Ａ３、第４象限Ａ４、第５象限Ａ５、及び第６象限Ａ６のいずれかを演算することにより、各画素３１で点灯する副画素３２を決定する。例えば、図９に示す例では、第１色情報の属する色座標が第１象限Ａ１である場合には、信号処理部２０は、各画素３１の第１副画素３２Ｒ，第４副画素３２Ｗ及び第７副画素３２Ｙを点灯させることにより入力画像信号に含まれる第１色情報の色を再現することが可能となる。
【００３８】
図１０Ａ〜図１０Ｄは、本実施の形態に係る色変換の説明図である。図１０Ａ〜図１０Ｄに示すように、信号処理部２０は、色座標演算によって各画素３１に属する副画素３２のうち、点灯させる副画素３２を決定した後、入力画像信号に含まれる第１色情報（赤（Ｒｉｎ）、緑（Ｇｉｎ）及び青（Ｂｉｎ））の最小値に対応する色情報（Ｍｉｎ．（Ｒｉｎ，Ｇｉｎ，Ｂｉｎ））に基づいて白（Ｗ）成分（Ｗｏｕｔ）の色情報として分離して第２色情報を生成する。この結果、図１０Ａ及び図１０Ｂに示す例では、赤（Ｒ）成分の一部、緑（Ｇ）成分の一部、及び青（Ｂ）成分が白（Ｗ）成分となり、赤（Ｒ）成分、緑（Ｇ）成分及び白（Ｗ）成分が残存する。次に、信号処理部２０は、白成分を分離した第２色情報（赤（Ｒ１）、及び緑（Ｇ１））の最小値に対応する色情報（Ｍｉｎ．（Ｒ１，Ｇ１））に基づいて黄（Ｙ）成分（Ｙｏｕｔ）を補色成分として分離して第３色情報（Ｒｏｕｔ，Ｇｏｕｔ，Ｂｏｕｔ，Ｗｏｕｔ，Ｙｏｕｔ）を生成する。この結果、図１０Ｃ及び図１０Ｄに示す例では、赤（Ｒ）成分の一部及び緑（Ｇ）成分が黄（Ｙ）成分となり、赤（Ｒ）成分、白（Ｗ）成分及び黄（Ｙ）成分が残存する。なお、上述した実施の形態では、緑（Ｇ）成分及び青（Ｂ）成分を全て白（Ｗ）成分及び黄（Ｙ）成分に変換した例について説明したが、緑（Ｇ）成分及び青（Ｂ）成分については、必ずしも全て変換する必要はない。また、上述した実施の形態では、第２色情報から補色成分を分離して第３色情報を生成する例について説明したが、信号処理部２０は、第２色情報から原色成分を分離して第３色情報を生成してもよい。
【００３９】
図１１Ａ〜図１１Ｃは、本実施の形態に係る画像表示部３０の一例の説明図である。なお、図１１Ａ〜図１１Ｃにおいては、第１画素３１Ａ〜第３画素３１Ｃのそれぞれに属する９つの副画素３２のうち、第１副画素３２Ｒ、第２副画素３２Ｇ、第３副画素３２Ｂ、第４副画素３２Ｗ、第５副画素３２Ｃ、第６副画素３２Ｍ及び第７副画素３２Ｙを表示画素として用いる例について示している。
【００４０】
図１１Ａ〜図１１Ｃに示すように、信号処理部２０は、特定画素３１に供給される第１入力画像信号及び当該特定画素３１に隣接する隣接画素３１の第２入力画像信号に基づいて特定画素３１に属する周辺副画素３２を点灯させる出力信号を生成し、生成した出力信号を画像表示パネルに出力する。図１１Ａ〜図１１Ｃに示す例では、信号処理部２０は、まず、第１画素３１Ａに対する第１入力画像信号について色座標演算及び色変換を実施して第１画素３１Ａに属する１つの第４副画素３２Ｗ及び当該１つの第４副画素３２Ｗの周囲に配置される６つの周辺副画素３２の点灯量を決定する。
【００４１】
次に、信号処理部２０は、第２画素３１Ａに対する第２入力画像信号について色座標演算及び色変換を実施して第２画素３１Ｂに属する１つの第４副画素３２Ｗ及び当該１つの第４副画素３２Ｗの周囲に配置される６つの周辺副画素３２の点灯量を決定する。ここでは、信号処理部２０は、第１画素３１Ａ及び第２画素３１Ｂによって共有される第１副画素３２Ｒ及び第５副画素３２Ｃについては、第１画素３１Ａに対する第１入力画像信号に基づく第３色情報によって決定された点灯量に、第２画素３１Ｂに対する第２入力画像信号に基づく第３色情報よって決定された点灯量を合算して補正する。そして、信号処理部２０は、決定した副画素３２の点灯量に応じた第１画素３１Ａの出力信号を画像表示部３０に出力する。
【００４２】
次に、信号処理部２０は、第３画素３１Ｃに対する第３入力画像信号について色座標演算及び色変換を実施して第３画素３１Ｃに属する１つの第４副画素３２Ｗ及び当該１つの第４副画素３２Ｗの周囲に配置される６つの周辺副画素３２の点灯量を決定する。ここでは、第２画素３１Ｂ及び第３画素３１Ｃによって共有される第６副画素３２Ｍ及び第７副画素３２Ｙについては、第２画素３１Ａに対する第２入力画像信号によって決定された点灯量に、第３画素３１Ｃに対する第３入力画像信号によって決定された点灯量が合算されて補正される。そして、信号処理部２０は、決定した副画素３２の点灯量に応じた第２画素３１Ａの出力信号を画像表示部３０に出力する。信号処理部２０は、以降同様にして各画素３１に属する副画素３２の点灯量をそれぞれ決定した後、決定した点灯量に応じた出力信号を画像表示部３０に出力する。
【００４３】
すなわち、本実施の形態においては、相互に隣接する第１画素３１Ａ及び第２画素３１Ｂに共有される副画素３２については、第１画素３１Ａに属する副画素３２の点灯量を決定する第１入力画像信号と、第２画素３１Ｂに属する副画素３２の点灯量を決定する第２入力画像信号とで点灯量が決定される。また、相互に隣接する第２画素３１Ｂ及び第３画素３１Ｃに共有される副画素３２については、第２画素３１Ｂに属する副画素３２の点灯量を決定する第１入力画像信号と、第３画素３１Ｃに属する副画素３２の点灯量を決定する第２入力画像信号とで点灯量が決定される。これにより、各画素３１の第４副画素３２Ｗを所望の解像度に応じて２次元マトリクス状に配置し、第４副画素３２Ｗ以外の他の副画素３２を所望の解像度の半分で配置した場合であっても、入力画像信号に応じた色を再現することができる。なお、上述した実施の形態では、第１画素３１Ａ及び第２画素３１Ｂに共有される副画素３２の点灯量を第１入力画像信号及び第２入力画像信号の合算によって決定する例について説明したが、例えば、第１入力画像信号による点灯量と第２入力画像信号による点灯量とに所定の比率を設定して決定してもよい。これにより、入力画像に応じて柔軟に点灯量を設定することが可能となるので、更に画質を向上させることができる。
【００４４】
図１２Ａ〜図１２Ｃは、本実施の形態に係る画像表示部３０の一例の説明図である。なお、図１２Ａ〜図１２Ｃにおいては、第１画素３１Ａ〜第３画素３１Ｃのそれぞれに属する９つの副画素３２を全て用いる例について示している。図１２Ａ〜図１２Ｃに示す例では、各画素３１は、第１副画素３２Ｒ、第２副画素３２Ｇ、第３副画素３２Ｂ、及び第６副画素３２Ｍに対して相対的に輝度が高い第５副画素３２Ｃ及び第７副画素３２Ｙをそれぞれ２つ有する。そして、信号処理部２０は、第５副画素３２Ｃに割り当てられた点灯量に対して、２つの第５副画素３２Ｃの点灯量を１／２ずつ点灯させると共に、第７副画素３２Ｙに割り当てられた点灯量に対して、２つの第７副画素３２Ｙの点灯量を１／２ずつ点灯させる。これにより、各画素３１の４隅に配置された高輝度の第５副画素３２Ｃ及び第７副画素３２Ｙの点灯量が図１１Ａ〜図１１Ｃに示した例に対して半分となるので、入力画像が輝度の高い高輝度領域と、高輝度領域に対して相対的に輝度が低い低輝度領域とが隣接した境界領域を有する場合であっても、画素配列による輝度重心のずれに基づく画質劣化を緩和することができる。なお、上述した実施の形態では、点灯量が１／２である例について説明したが、この構成に限定されない。点灯量は、表示する画像に応じて１／２以外の任意の点灯量に設定してもよく、隣接する画素の点灯量との関係で任意に設定してもよい。
【００４５】
以上説明したように、本実施の形態によれば、白成分の第４副画素３２Ｗを所望の解像度に応じて２次元マトリクス状に配置するので、第４副画素３２Ｗ以外の他の副画素３２を所望の解像度の半分で配置した場合であっても、入力画像信号に応じた色を再現することができ、画質劣化を低減することができる。また、赤（Ｒ）成分、緑（Ｇ）成分及び青（Ｂ）成分の一部を白（Ｗ）成分、シアン（Ｃ）成分及び黄（Ｙ）成分に順次置き換えて出力するので、彩度が小さくなるに従って輝度減衰率が小さくなった場合でも、白成分へ置き換えできる割合が高くなるので、好適に消費電力の低減を図ることができる。
【００４６】
また、本実施の形態において、各画素３１は、白成分である第４副画素３２Ｗを包囲してその他の周辺副画素３２を配し、当該周辺副画素３２を隣の画素３１と共有させた状態で各副画素３２の点灯量を演算するものとなっている。この点、例えば、図４においては、上２行における行方向における各副画素３２の数でみると、最も右側に位置する周辺副画素３２列を算入しなければ各画素３１における各周辺副画素３２の数は等しくなるが、あえて当該最も右側に位置する周辺副画素３２列を追加的に設けることで、最も右側の画素３１の副画素３２の数が多くなるが、上記の副画素３２の点灯を実現することができる。列方向で見る場合も同様である。列方向で見る場合には、下側に位置する周辺副画素３２行を算入しなければ各画素３１における各周辺副画素３２の数は等しくなるが、あえて当該下側に位置する周辺副画素３２行を追加的に設けることで、最も右側の画素３１の副画素３２の数が多くなるが、上記の副画素３２の点灯を実現することができる。かかる点に鑑みると、本実施の形態においては、画像表示部３０を行方向で見た場合の一方の端部を基端側、他方の端部を終端側とする場合、最も基端側に位置する画素列は白成分以外の周辺副画素３２であって、最も終端側に位置する画素列も白成分以外の周辺副画素３２であり、当該終端側の画素列が追加的に設けられている、といえる。同様に、画像表示部３０を列方向で見た場合の一方の端部を基端側、他方の端部を終端側とする場合、最も基端側に位置する画素行は白成分以外の周辺副画素３２であって、最も終端側に位置する画素行も白成分以外の周辺副画素３２であり、当該終端側の画素行が追加的に設けられている、といえる。
【００４７】
（第２の実施の形態）
次に、本開示の第２の実施の形態について説明する。なお、以下においては、上述した第１の実施の形態との相違点を中心に説明し、説明の重複を避ける。また、第１の実施の形態と共通する構成要素には共通する符号を付している。
【００４８】
図１３は、本実施の形態に係る画像表示部３０における副画素３２の配置を示す図である。図１３に示すように、この画像表示部３０は、２次元マトリクス状に配置された第４色としての白成分を表示する第４副画素３２Ｗと、この第４副画素３２Ｗを中心として当該第４副画素３２Ｗとの間の距離が略等しくなる位置に配置された少なくとも３つの周辺副画素３２とを備えた画素３１が配列され、画素３１が画素３１に隣接する隣接画素３１との間で少なくとも１つの周辺副画素３２を共有してなる。本実施の形態においては、画素３１は、平面視にて略六角形形状の７つの副画素を備える。この画素３１は、第４副画素３２Ｗの上側に第１副画素３２Ｒが配置され、第４副画素３２Ｗの左側に第２副画素３２Ｇ及び第７副画素３２Ｙが配置され、第４副画素３２Ｗの右側に第３副画素３２Ｂ及び第６副画素３２Ｍが配置され、第４副画素３２Ｗの下側に第５副画素３２Ｃが配置される。すなわち、この画素３１においては、第４副画素３２Ｗを中心として周辺副画素３２が六方格子状に配置されている。なお、図１３に示す例においては、周辺副画素３２が６つの例について説明したが、周辺副画素３２は、例えば、３つであってもよい。
【００４９】
図１４Ａ〜図１４Ｃは、本実施の形態に係る画像表示部３０の副画素３２の配列を示す図である。図１４Ａ〜図１４Ｃに示すように、本実施の形態においては、画像表示部３０は、各画素３１に属する第４副画素３２Ｗが所定の解像度に応じて２次元マトリクス状に配置される。図１４Ａ〜図１４Ｃに示す例では、第１画素３１Ａに属する第４副画素３２Ｗ、第２画素３１Ｂに属する第４副画素３２Ｗ、第３画素３１Ｃに属する第４副画素３２Ｗ、第４画素３１Ｄに属する第４副画素３２Ｗ、第５画素３１Ｅに属する第４副画素３２Ｗ、第６画素３１Ｆに属する第４副画素３２Ｗ、第７画素３１Ｇに属する第４副画素３２Ｗ、及び第８画素３１Ｈに属する第４副画素３２Ｗが画像表示部３０の行方向（Ｘ軸方向）及び列方向（Ｙ軸方向）に沿って２次元マトリクス状に配列される。行方向の両端の行には、第４副画素３２Ｗ以外の第１副画素３２Ｒ、第２副画素３２Ｇ、第３副画素３２Ｂ、第５副画素３２Ｃ、第６副画素３２Ｍ及び第７副画素３２Ｙから選ばれた色画素がそれぞれ配置される。また、列方向の両端の列には、第４副画素３２Ｗ以外の第１副画素３２Ｒ、第２副画素３２Ｇ、第３副画素３２Ｂ、第５副画素３２Ｃ、第６副画素３２Ｍ及び第７副画素３２Ｙから選ばれた色画素がそれぞれ配置される。すなわち、この画像表示部３０では、行方向及び列方向の両端にはそれぞれ周辺副画素３２が配置される。
【００５０】
また、画像表示部３０は、第４副画素３２Ｗの周囲には、第１副画素３２Ｒ、第２副画素３２Ｇ、第３副画素３２Ｂ、第５副画素３２Ｃ、第６副画素３２Ｍ、及び第７副画素３２Ｙの少なくとも一つの副画素３２（周辺副画素）が隣接画素３１との間で周辺画素３１を共有して配置される。なお、図１４Ａ〜図１４Ｃに示す例では、ＴＦＴ基板を六法格子状に形成して発光層を四方格子状に形成してもよく、ＴＦＴ基板を正方格子状に設けて発光層を略六角形にしてもよい。また、発光層は円形状でもよい。
【００５１】
以下、画像表示部３０の画素３１の配置について詳細に説明する。図１４Ａに示す画像表示部３０は、原色成分の副画素３２と補色成分の副画素３２とを対角配置した例である。第１画素３１Ａ、第２画素３１Ｂ、第３画素３１Ｃ、第４画素３１Ｄ、第５画素３１Ｅ及び第６画素３１Ｆは、それぞれ第１副画素３２Ｒと第５副画素３２Ｃとが第４副画素を挟んで対向配置され、第２副画素３２Ｇと第６副画素３２Ｍとが第４副画素を挟んで対向配置され、第３副画素３２Ｂと第７副画素３２Ｙとが第４副画素を挟んで対向配置される。このように配置することにより、輝度重心が変化しにくくなるので、画質を向上させることができる。
【００５２】
第１画素３１Ａは、当該第１画素３１Ａの右側に隣接する第２画素３１Ｂとの間で第３副画素３２Ｂ及び第６副画素３２Ｍを共有している。第１画素３１Ａに属する第４副画素３２Ｗの次列に配列された第３副画素３２Ｂ及び第６副画素３２Ｍは、第２画素３２Ｂにも属している。また、第１画素３１Ａは、当該第１画素３１Ａの下側に隣接する第４画素３１Ｄとの間で第５副画素３２Ｃを共有している。第１画素３１Ａに属する第４副画素３２Ｗの次行に配列された第５副画素３２Ｃは、第４画素３１Ｄにも属している。同様に、第２画素３１Ｂは、当該第２画素３１Ｂの右側に隣接する第３画素３１Ｃとの間で第２副画素３２Ｇ及び第７副画素３２Ｙを共有している。また、第２画素３１Ｂは、当該第２画素３１Ｂの下側に隣接する第５画素３１Ｅとの間で第５副画素３２Ｃを共有している。第３画素３１Ｃは、当該第３画素３１Ｃの下側に隣接する第６画素３１Ｆとの間で第５副画素３２Ｃを共有している。第４画素３１Ｄは、当該第４画素３１Ｄの右側に隣接する第５画素３１Ｅとの間で第３副画素３２Ｂ及び第６副画素３２Ｍを共有している。第５画素３１Ｅは、当該第５画素３１Ｅの右側に隣接する第６画素３１Ｆとの間で第２副画素３２Ｇ及び第７副画素３２Ｙを共有している。なお、上記実施の形態においては、隣接画素３１間で３つの副画素３２を共有する例について説明したが、隣接画素３１間で共有する副画素３２の数は少なくとも一つあればよい。
【００５３】
図１４Ｂに示す画像表示部３０は、副画素３２を千鳥格子状に配置した例である。第１画素３１Ａ、第２画素３１Ｂ、第３画素３１Ｃ、第４画素３１Ｄ、第５画素３１Ｅ及び第６画素３１Ｆは、第１副画素３２Ｒ、第２副画素３２Ｇ、第３副画素３２Ｂ、第５副画素３２Ｃ、第６副画素３２Ｍ及び第７副画素３２Ｙが略均等に分散するように配置される。このように配置することにより、各色の分散性が向上するので、画像のラスターが向上する。
【００５４】
第１画素３１Ａは、当該第１画素３１Ａの右側に隣接する第２画素３１Ｂとの間で第３副画素３２Ｂ及び第６副画素３２Ｍを共有している。第１画素３１Ａに属する第４副画素３２Ｗの次列に配列された第３副画素３２Ｂ及び第６副画素３２Ｍは、第２画素３２Ｂにも属している。また、第１画素３１Ａは、当該第１画素３１Ａの下側に隣接する第４画素３１Ｄとの間で第５副画素３２Ｃを共有している。第１画素３１Ａに属する第４副画素３２Ｗの次行に配列された第５副画素３２Ｃは、第４画素３１Ｄにも属している。同様に、第２画素３１Ｂは、当該第２画素３１Ｂの右側に隣接する第３画素３１Ｃとの間で第２副画素３２Ｇ及び第７副画素３２Ｙを共有している。また、第２画素３１Ｂは、当該第２画素３１Ｂの下側に隣接する第５画素３１Ｅとの間で第１副画素３２Ｒを共有している。第３画素３１Ｃは、当該第３画素３１Ｃの下側に隣接する第６画素３１Ｆとの間で第５副画素３２Ｃを共有している。第４画素３１Ｄは、当該第４画素３１Ｄの右側に隣接する第５画素３１Ｅとの間で第２副画素３２Ｇ及び第７副画素３２Ｙを共有している。第５画素３１Ｅは、当該第５画素３１Ｅの右側に隣接する第６画素３１Ｆとの間で第３副画素３２Ｂ及び第６副画素３２Ｍを共有している。なお、上記実施の形態においては、隣接画素３１間で３つの副画素３２を共有する例について説明したが、隣接画素３１間で共有する副画素３２の数は少なくとも一つあればよい。
【００５５】
図１４Ｃに示す画像表示部３０は、原色成分の副画素３２と補色成分の副画素３２とを対角配置した例である。第１画素３１Ａ、第２画素３１Ｂ、第３画素３１Ｃ、第４画素３１Ｄ、第５画素３１Ｅ及び第６画素３１Ｆは、第１副画素３２Ｒと第５副画素３２Ｃとが隣接して配置され、第２副画素３２Ｇと第７副画素３２Ｙとが第４副画素２３Ｗを挟んで対向配置され、第３副画素３２Ｂと第６副画素３２Ｍとが隣接して配置される。このように配置することにより、輝度重心が変化しにくくなるので、画質を向上させることができる。
【００５６】
第１画素３１Ａは、当該第１画素３１Ａの右側に隣接する第２画素３１Ｂとの間で第１副画素３２Ｒ及び第５副画素３２Ｃを共有している。第１画素３１Ａに属する第４副画素３２Ｗの次列に配列された第１副画素３２Ｒ及び第５副画素３２Ｃは、第２画素３２Ｂにも属している。また、第１画素３１Ａは、当該第１画素３１Ａの下側に隣接する第４画素３１Ｄとの間で第２副画素３２Ｇを共有している。第１画素３１Ａに属する第４副画素３２Ｗの次行に配列された第２副画素３２Ｇは、第４画素３１Ｄにも属している。同様に、第２画素３１Ｂは、当該第２画素３１Ｂの右側に隣接する第３画素３１Ｃとの間で第３副画素３２Ｂ及び第６副画素３２Ｍを共有している。また、第２画素３１Ｂは、当該第２画素３１Ｂの下側に隣接する第５画素３１Ｅとの間で第２副画素３２Ｇを共有している。第３画素３１Ｃは、当該第３画素３１Ｃの下側に隣接する第６画素３１Ｆとの間で第２副画素３２Ｇを共有している。第４画素３１Ｄは、当該第４画素３１Ｄの右側に隣接する第５画素３１Ｅとの間で第１副画素３２Ｒ及び第５副画素３２Ｃを共有している。第５画素３１Ｅは、当該第５画素３１Ｅの右側に隣接する第６画素３１Ｆとの間で第３副画素３２Ｂ及び第６副画素３２Ｍを共有している。なお、上記実施の形態においては、隣接画素３１間で３つの副画素３２を共有する例について説明したが、隣接画素３１間で共有する副画素３２の数は少なくとも一つあればよい。
【００５７】
以上説明したように、本実施の形態においても、白成分の第４副画素３２Ｗを所望の解像度に応じて２次元マトリクス状に配置するので、第４副画素３２Ｗ以外の他の副画素３２を所望の解像度の半分で配置した場合であっても、入力画像信号に応じた色を再現することができ、画質劣化を低減することができる。また、赤（Ｒ）成分、緑（Ｇ）成分及び青（Ｂ）成分の一部を白（Ｗ）成分、シアン（Ｃ）成分及び黄（Ｙ）成分に順次置き換えて出力するので、彩度が小さくなるに従って輝度減衰率が小さくなった場合でも、白成分へ置き換えできる割合が高くなるので、好適に消費電力の低減を図ることができる。
【００５８】
（適用例）
本開示の適用例として、上述した表示装置１０を電子機器に適用した例を説明する。
【００５９】
図１５乃至図２５は、本実施の形態に係る表示装置を備えた電子機器の一例を示す図である。表示装置１０は、テレビジョン装置、ディジタルカメラ、ノート型パーソナルコンピュータ、携帯電話機等の携帯端末装置又はビデオカメラ等のあらゆる分野の電子機器に適用することが可能である。言い換えると、表示装置１０は、外部から入力された映像信号又は内部で生成した映像信号を、画像又は映像として表示するあらゆる分野の電子機器に適用することが可能である。
【００６０】
（適用例１）
図１５に示す電子機器は、表示装置１０が適用されるテレビジョン装置である。当該テレビジョン装置は、例えば、フロントパネル５１１及びフィルターガラス５１２を含む映像表示画面部５１０を有しており、当該映像表示画面部５１０に、表示装置１０が適用される。すなわち、当該テレビジョン装置の画面は、画像を表示する機能の他に、タッチ動作を検出する機能を有していてもよい。
【００６１】
（適用例２）
図１６及び図１７に示す電子機器は、表示装置１０が適用されるディジタルカメラである。当該ディジタルカメラは、例えば、フラッシュ用の発光部５２１、表示部５２２、メニュースイッチ５２３及びシャッターボタン５２４を有しており、表示部５２２には、表示装置１０が適用されている。したがって、当該ディジタルカメラの表示部５２２は、画像を表示する機能の他に、タッチ動作を検出する機能を有していてもよい。
【００６２】
（適用例３）
図１８に示す電子機器は、表示装置１０が適用されるビデオカメラの外観を表すものである。当該ビデオカメラは、例えば、本体部５３１、当該本体部５３１の前方側面に設けられた被写体撮影用のレンズ５３２、撮影時のスタート／ストップスイッチ５３３及び表示部５３４を有している。そして、表示部５３４には、表示装置１０が適用されている。したがって、このビデオカメラの表示部５３４は、画像を表示する機能の他に、タッチ動作を検出する機能を有していてもよい。
【００６３】
（適用例４）
図１９に示す電子機器は、表示装置１０が適用されるノート型パーソナルコンピュータである。このノート型パーソナルコンピュータは、例えば、本体５４１、文字等の入力操作のためのキーボード５４２及び画像を表示する表示部５４３を有している。表示部５４３は、表示装置１０が適用されている。このため、当該ノート型パーソナルコンピュータの表示部５４３は、画像を表示する機能の他に、タッチ動作を検出する機能を有していてもよい。
【００６４】
（適用例５）
図２０乃至図２２に示す電子機器は、表示装置１０が適用される携帯電話機である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１０が取り付けられている。このため、当該携帯電話機のディスプレイ５５４は、画像を表示する機能の他に、タッチ動作を検出する機能を有していてもよい。
【００６５】
（適用例６）
図２３に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。当該情報携帯端末は、例えば筐体５６１の表面に表示部５６２を有している。当該表示部５６２は、表示装置１０が取り付けられている。当該表示部５６２は、画像を表示する機能の他に、タッチ動作を検出する機能を有していてもよい。
【００６６】
（適用例７）
図２４は、本実施の形態に係るメータユニットの概略構成図である。図２４に示す電子機器は、車両に搭載されるメータユニットである。メータユニット（電子機器）５７０は、燃料計、水温計、スピードメータ、タコメータ等、複数の上述した本実施の形態に係る画像表示装置１００を表示装置５７１として備えている。そして、複数の表示装置５７１は、ともに、一枚の外装パネル５７２に覆われている。
【００６７】
表示装置５７１それぞれは、表示手段としてのパネル５７３及びアナログ表示手段としてのムーブメント機構を互いに組み合わせた構成となっている。当該ムーブメント機構は、駆動手段としてのモータと、モータにより回転される指針５７４とを有している。そして、表示装置５７１では、パネル５７３の表示面に目盛表示、警告表示等を表示することができるとともに、ムーブメント機構の指針５７４がパネル５７３の表示面側において回転することが可能となっている。
【００６８】
なお、図２４では、一枚の外装パネル５７２に複数の表示装置５７１を設けた構成としたが、これに限定されない。外装パネル５７２によって囲まれた領域に１つの表示装置５７１を設け、当該表示装置に燃料計、水温計、スピードメータ、タコメータ等を表示させてもよい。
【００６９】
本開示は、次のような構成を採用することができる。
【００７０】
（１）２次元マトリクス状に配置された第４色としての白色成分を表示する第４副画素と、前記第４副画素の周囲に配置された周辺副画素とを備えた画素が配列され、前記画素が当該画素に隣接する隣接画素との間で少なくとも１つの前記周辺副画素を共有してなる画像表示部と、特定画素に対する第１入力映像信号及び当該特定画素に隣接する隣接画素に対する第２入力映像信号に基づいて前記特定画素に属する前記周辺副画素への出力信号を生成し、生成した前記出力信号を前記画像表示部に出力する信号処理部と、
を具備することを特徴とする、表示装置。
【００７１】
（２）前記信号処理部は、前記特定画素に対する入力映像信号の第１色情報から前記特定画素に属する前記第４副画素の色情報を差し引いた第２色情報に基づいて前記特定画素に属する前記周辺画素の第３色情報を生成し、前記隣接画素に対する入力映像信号の第１色情報から前記隣接画素に属する前記第４副画素の色情報を差し引いた第２色情報に基づいて生成した前記隣接画素に属する前記周辺画素の第３色情報に基づいて、前記特定画素に属する前記周辺画素の前記第３色情報を補正して前記周辺副画素の出力信号を生成する、（１）に記載の表示装置。
【００７２】
（３）前記信号処理部は、前記第２色情報から前記周辺副画素の原色成分に対する補色成分の色情報を差し引いて前記周辺副画素の原色成分の色情報を含む前記第３色情報を生成する、（１）又は（２）に記載の表示装置。
【００７３】
（４）前記信号処理部は、前記第２色情報から前記周辺副画素の原色成分の出力信号を差し引いて前記周辺副画素の原色成分に対する補色成分の色情報を含む前記第３色情報を生成する、（１）又は（２）に記載の表示装置。
【００７４】
（５）前記信号処理部は、前記特定画素の前記第３色情報と前記隣接画素の前記第３色情報との比率を変換して前記特定画素の前記３色情報を補正する、（２）に記載の表示装置。
【００７５】
（６）前記周辺副画素は、前記第４副画素の周囲に配置された第１原色を表示する第１副画素、第２原色を表示する第２副画素、第３原色を表示する第３副画素、前記第１原色に対する補色である第１補色を表示する第５副画素、前記第２原色に対する補色である第２補色を表示する第６副画素、及び前記第３原色に対する補色である第３補色を表示する第７副画素を有する、（１）に記載の表示装置。
【００７６】
（７）前記周辺副画素は、一対の前記第５副画素及び一対の前記第７副画素を備え、一対の前記第５副画素及び一対の前記第７副画素は、前記第４副画素を中心として４隅に配置された、（６）に記載の表示装置。
【００７７】
（８）２次元マトリクス状に配置された第４色としての白成分を表示する第４副画素と、前記第４副画素を中心として３行３列の四方格子状に配置された８つの周辺副画素とを備えた画素が配列され、前記画素が当該画素に隣接する隣接画素との間で少なくとも１つの前記周辺副画素を共有してなる画像表示部を具備する、表示装置。
【００７８】
（９）前記画素は、当該画素に属する前記第４副画素の右側に配置された３つの前記周辺副画素を右隣に配置された隣接画素との間で共有してなり、前記第４副画素の左側に配置された３つの前記周辺副画素を左隣に配置された隣接画素との間で共有してなり、前記第４副画素の上側に配置された３つの前記周辺副画素を上隣に配置された隣接画素との間で共有してなり、前記第４副画素の下側に配置された３つの前記周辺副画素を下隣に配置された隣接画素との間で共有してなる、（８）に記載の表示装置。
【００７９】
（１０）前記周辺副画素は、前記第４副画素の周囲に配置された第１原色を表示する第１副画素、第２原色を表示する第２副画素、第３原色を表示する第３副画素、前記第１原色に対する補色である第１補色を表示する第５副画素、前記第２原色に対する補色である第２補色を表示する第６副画素、及び前記第３原色に対する補色である第３補色を表示する第７副画素を有する、（８）又は（９）に記載の表示装置。
【００８０】
（１１）前記周辺副画素は、一対の前記第５副画素及び一対の前記第７副画素を備え、一対の前記第５副画素及び一対の前記第７副画素は、前記第４副画素を中心として四隅に配置された、（１０）に記載の表示装置。
【００８１】
（１２）２次元マトリクス状に配置された第４色としての白成分を表示する第４副画素と、前記第４副画素を中心として当該第４副画素との間の距離が略等しくなる位置に配置された少なくとも３つの周辺副画素とを備えた画素が配列され、前記画素が当該画素に隣接する隣接画素との間で少なくとも１つの前記周辺副画素を共有してなる画像表示部を備えた、表示装置。
【００８２】
（１３）前記第４副画素及び前記周辺副画素が六方格子状に配置されてなり、前記周辺副画素が７つの周辺副画素を有する、（１２）に記載の表示装置。
【００８３】
（１４）前記画素は、当該画素に属する前記第４副画素の右側に配置された少なくとも１つの前記周辺副画素を右隣に配置された隣接画素との間で共有してなり、前記第４副画素の左側に配置された少なくとも１つの前記周辺副画素を左隣に配置された隣接画素との間で共有してなり、前記第４副画素の上側に配置された少なくとも１つの前記周辺副画素を上隣に配置された隣接画素との間で共有してなり、前記第４副画素の下側に配置された少なくとも１つの前記周辺副画素を下隣に配置された隣接画素との間で共有してなる、（１３）に記載の表示装置。
【００８４】
（１５）前記周辺副画素は、前記第４副画素の周囲に配置された第１原色を表示する第１副画素、第２原色を表示する第２副画素、第３原色を表示する第３副画素、前記第１原色に対する補色である第１補色を表示する第５副画素、前記第２原色に対する補色である第２補色を表示する第６副画素、及び前記第３原色に対する補色である第３補色を表示する第７副画素を有する、（１２）に記載の表示装置。
【００８５】
（１６）前記信号処理部は、前記特定画素に対する入力映像信号の第１色情報から前記特定画素に属する前記第４副画素の色情報を差し引いた第２色情報に基づいて前記特定画素に属する前記周辺画素の第３色情報を生成し、前記隣接画素に対する入力映像信号の第１色情報から前記隣接画素に属する前記第４副画素の色情報を差し引いた第２色情報に基づいて生成した前記隣接画素に属する前記周辺画素の第３色情報に基づいて、前記特定画素に属する前記周辺画素の前記第３色情報を補正して前記周辺副画素の出力信号を生成する、（８）又は（１２）に記載の表示装置。
【００８６】
（１７）前記信号処理部は、前記第２色情報から前記周辺副画素の原色成分に対する補色成分の色情報を差し引いて前記周辺副画素の原色成分の色情報を含む前記第３色情報を生成する、（８）又は（１２）に記載の表示装置。
【００８７】
（１８）前記信号処理部は、前記第２色情報から前記周辺副画素の原色成分の出力信号を差し引いて前記周辺副画素の原色成分に対する補色成分の色情報を含む前記第３色情報を生成する、（８）又は（１２）に記載の表示装置。
【００８８】
（１９）前記信号処理部は、前記特定画素の前記第３色情報と前記隣接画素の前記第３色情報との比率を変換して前記特定画素の前記３色情報を補正する、（１６）に記載の表示装置。
【００８９】
（２０）前記画像表示部は、行方向の両端及び列方向の両端に、前記第１副画素、前記第２副画素、前記第３副画素、前記第５副画素、前記第６副画素、及び前記第７副画素からなる群から選択された色画素がそれぞれ配列されてなる、（６）、（１０）及び（１５）のいずれか一つに記載の表示装置。
【００９０】
以上、本開示について説明したが、上述した内容により本開示が限定されるものではない。また、上述した本開示の構成要素には、当業者が容易に想定できるもの、実質的に同一のもの、いわゆる均等の範囲のものが含まれる。さらに、上述した構成要素は適宜組み合わせることが可能である。また、本開示の要旨を逸脱しない範囲で構成要素の種々の省略、置換及び変更を行うことができる。
【符号の説明】
【００９１】
１０  画像表示装置
２０  信号処理部
３０  画像表示部（画像表示パネル）
３１  画素
３１Ａ  第１画素
３１Ｂ  第２画素
３１Ｃ  第３画素
３１Ｄ  第４画素
３１Ｅ  第５画素
３１Ｆ  第６画素
３１Ｇ  第７画素
３１Ｈ  第８画素
３２  副画素
３２Ｒ  第１副画素
３２Ｇ  第２副画素
３２Ｂ  第３副画素
３２Ｗ  第４副画素
３２Ｃ  第５副画素
３２Ｍ  第６副画素
３２Ｙ  第７副画素
４０  画像表示パネル駆動回路
４１  信号出力回路
４２  走査回路
４３  電源回路
【図１】
2016024276.tif 000003
【図２】
2016024276.tif 000004
【図３】
2016024276.tif 000005
【図４】
2016024276.tif 000006
【図５】
2016024276.tif 000007
【図６】
2016024276.tif 000008
【図７】
2016024276.tif 000009
【図８】
2016024276.tif 000010
【図９】
2016024276.tif 000011
【図１０Ａ】
2016024276.tif 000012
【図１０Ｂ】
2016024276.tif 000013
【図１０Ｃ】
2016024276.tif 000014
【図１０Ｄ】
2016024276.tif 000015
【図１１Ａ】
2016024276.tif 000016
【図１１Ｂ】
2016024276.tif 000017
【図１１Ｃ】
2016024276.tif 000018
【図１２Ａ】
2016024276.tif 000019
【図１２Ｂ】
2016024276.tif 000020
【図１２Ｃ】
2016024276.tif 000021
【図１３】
2016024276.tif 000022
【図１４Ａ】
2016024276.tif 000023
【図１４Ｂ】
2016024276.tif 000024
【図１４Ｃ】
2016024276.tif 000025
【図１５】
2016024276.tif 000026
【図１６】
2016024276.tif 000027
【図１７】
2016024276.tif 000028
【図１８】
2016024276.tif 000029
【図１９】
2016024276.tif 000030
【図２０】
2016024276.tif 000031
【図２１】
2016024276.tif 000032
【図２２】
2016024276.tif 000033
【図２３】
2016024276.tif 000034
【図２４】
2016024276.tif 000035